(57)【要約】【課題】長辺部分を折り曲げることで、店員は釣銭を落下させることなく顧客に渡せることで、店員と顧客との無用な接触を防ぎ、廃棄コストが安価であるとともに、折り曲げていない状態では、嵩張らずに保管できる釣銭トレイを提供すること。【解決手段】本考案にかかる釣銭トレイは、２つの長辺部および２つの短辺部を有する四角形状の本体部（１１）と、当該本体部（１１）において、本体部（１１）の長辺部に略平行に設けられた２本の折り曲げ線（１２ａ，１２ｂ）とを含むことを特徴とする。【選択図】図１
0003226868.tif 000002
【実用新案登録請求の範囲】
【請求項１】
２つの長辺部および２つの短辺部を有する四角形状の本体部（１１）と、
当該本体部（１１）において、本体部（１１）の長辺部に略平行に設けられた２本の折り曲げ線（１２ａ，１２ｂ）とを含むことを特徴とする釣銭トレイ。
【考案の詳細な説明】
【技術分野】
【０００１】
本考案は、主に、顧客と店員との間で釣銭の授受に供される釣銭トレイに関するものである。
より具体的には、長辺部分を折り曲げることで、店員は釣銭を落下させることなく顧客に渡せることでき、また釣銭の授受の際には、店員と顧客との無用な接触を防ぎ、さらには廃棄コストが安価であるとともに、折り曲げていない状態（未使用状態、保管状態）では、嵩張らずに保管できる釣銭トレイに関する。
【背景技術】
【０００２】
小売店舗などでは、顧客が商品を購入するにあたり、店員と顧客とで金銭の授受（具体的には、店員から顧客への釣銭としての過剰金銭の返還）が行われる。
【０００３】
このような金銭の授受の際、店員および顧客が釣銭の額を確認しやすくするとともに、釣銭の落下を防いだり、顧客が釣銭を受け取りやすくしたりするために、金銭トレイが使用されることが多い。
【０００４】
たとえば、特許文献１では、紙幣を支払う顧客に不快感を与えることなく、また暗い場所においても容易に紙幣の透かしの有無や透かしと紛らわしいものを識別するための金銭トレイが開示されている（要約など）。
【０００５】
具体的には、当該金銭トレイは、紙幣を広げた状態で載置できる大きさの略矩形状の載置面を有し、該紙幣の載置面の少なくとも紙幣の透かしに対応する部位を透光性部材で形成するとともに、該載置面の背後に発光手段を埋設したことを特徴とする（実用新案登録請求の範囲）。
【先行技術文献】
【特許文献】
【０００６】
【特許文献１】実用新案登録第３１０９９２０号公報
【考案の概要】
【考案が解決しようとする課題】
【０００７】
しかしながら、上記特許文献で開示された金銭トレイを含め、従来の金銭トレイは、釣銭の授受の際には、店員と顧客との無用な接触を防ぐことを十分に考慮されているものではなかった。
【０００８】
そこで、本考案者は、金銭トレイの構造を鋭意検討したところ、四角形状の本体部において、その本体部の長辺部に略平行に設けられた２本の折り曲げ線（折り曲げの目安となる線）を設けることを見出した。
【０００９】
そして、このような特徴的な構成を有することにより、（１）保管状態（折り曲げ線を折り曲げていない状態）では嵩張ることなく保管が可能であること、（２）釣銭の授受の際には、店員と顧客との無用な接触を防ぐことできること、（３）廃棄コストが安価であること（使い捨てが可能であること）を見出した。特に、インフルエンザウィルスやコロナウイルスなどによる伝染病の蔓延時においては、人と人との濃厚接触を有意に防ぐことができ、ひいては伝染病の蔓延を防ぐことができる。
【００１０】
すなわち、本考案は、釣銭の授受の際には、店員と顧客との無用な接触を防ぎ、さらには廃棄コストが安価であるとともに、折り曲げていない状態では、嵩張らずに保管できる釣銭トレイを提供することを目的とする。
【課題を解決するための手段】
【００１１】
本考案にかかる釣銭トレイは、２つの長辺部および２つの短辺部を有する四角形状の本体部（１１）と、当該本体部（１１）において、本体部（１１）の長辺部に略平行に設けられた２本の折り曲げ線（１２ａ，１２ｂ）とを含むことを特徴とする。
【図面の簡単な説明】
【００１２】
【図１】図１は、本考案にかかる釣銭トレイであって、２本の折り曲げ線を折り曲げていない状態（保管状態）の釣銭トレイを示すための図である。
【００１３】
【図２】図２は、本考案にかかる釣銭トレイであって、２本の折り曲げ線を折り曲げ、釣銭の授受に供することができる状態（使用状態）の釣銭トレイを示すための図である。
【考案を実施するための形態】
【００１４】
以下、本考案に係る金銭トレイについて、適宜図面を参照しつつ説明する。なお、図１および図２は、いづれも本考案に係る金銭トレイを示しているが、それぞれ、保管状態（未使用状態）および使用状態を示している。
【００１５】
図１の付番１０は、保管状態（すなわち、後述する「折り曲げ線」で折り曲げていない状態）の金銭トレイを示している。図１に示されるように、本考案にかかる金銭トレイは、本体部１１と２本の折り曲げ線（折り目）１２ａ、１２ｂを必須構成要件として含み、必要に応じて任意の構成部材を有していてもよい。
【００１６】
本体部１１の形状は、図１に示されるように、２つの長辺部Ｌおよび２つの短辺部Ｓを有する四角形状（長方形状）である。
【００１７】
ここで、本体部の材質は特に限定されるものではないが、紙、プラスチックシートなど、後述する折り曲げ線（折り目）で店員が容易に折り曲げられることが好ましい。
【００１８】
特に、製造コストや廃棄コストが低い点や金銭トレイを使い捨てとする場合などを考慮すると、本体部１１は紙で構成されていることが好ましい。
【００１９】
また、本体部１１の表面（金銭が載置される面）および／または裏面には、抗菌ニス等による抗菌コーティングや防水コーティングされていてもよい。
【００２０】
本体部１１の大きさは、特に限定されないが、たとえば、短辺部Ｓが１２０ｍｍ、長辺部Ｌが１７０ｍｍ程度であることが望ましい。
【００２１】
本考案にかかる金銭トレイは、図１の付番１２ａ、１２ｂに示されるように、２本の折り曲げ線（折り目）を有する。ここで、折り曲げ線は、図２の付番２２ａおよび２２ｂに示されるように、当該折り曲げ線を上向きにおり（谷折りをして）、金銭トレイを用いて釣銭２３の授受に使用する。なお、図２では、釣銭は、硬貨（コイン）のみを示しているが、紙幣（例：１０００円札、５０００円札など）も含まれる。
【００２２】
折り曲げ線（折り目）は、当該本体部１１において、本体部１１の長辺部Ｌに略平行に設けられている。また、図２に示すように、本考案にかかる金銭トレイは、使用状態において、釣銭２３を本体部２１に載置するが、その際、十分な金銭２３を載置するスペースがあるように、折り曲げ線の位置を考慮することが好ましい。
【００２３】
ここで、折り曲げ線（折り目）は、印刷により直線または破線として形成されていてもよい。谷折りのしやすさを考慮すると、ミシン目または折筋であることが好ましい。
【産業上の利用可能性】
【００２４】
本考案によれば、釣銭の授受の際には、店員と顧客との無用な接触を防ぎ、さらには廃棄コストが安価であるとともに、折り曲げていない状態では、嵩張らずに保管できる釣銭トレイを提供できる。
【符号の説明】
【００２５】
１０：本考案にかかる金銭トレイ（保管状態、未使用状態）
１１：本体部
１２ａ、１２ｂ：折り曲げ線（折り曲げ前）
２０：本考案にかかる金銭トレイ（使用状態）
２１：本体部
２２ａ、２２ｂ：折り曲げ線で谷折りされた長辺部
２３：釣銭
Ｓ：短辺部
Ｌ：長辺部
【図１】
0003226868.tif 000003
【図２】
0003226868.tif 000004